(57)【要約】【課題】  マーキング表示部とディスプレイ表示部とを一体化し、別ピースが組み付けられているというイメージをなくし、ディスプレイ表示部とマーキング表示部との色分け及び透過色の有無の組合せが可能な一体パネルを提供し、さらに、ディスプレイ表示部を透明感ある表示窓に仕上げることができるようにする。【解決手段】  マーキング表示部Ａと、透明窓部２１を有するディスプレイ表示部Ｂとを一体で設置可能な透明素材よりなる表示パネル本体部１１を備え、この表示パネル本体部１１は前記ディスプレイ表示部Ｂの透明窓部２１を除いた部分とに透明感を生かす塗料で塗装したボカシ塗膜層１４と、ボカシ塗膜層１４の上に塗装した指定色塗膜層１５とが形成されており、前記マーキング表示部Ａの指定色塗膜層１５上にマーキング文字１９をマークしてマーキング表示部Ａとディスプレイ表示部Ｂを一体化した表示パネルを構成した。【選択図】      図１
2005309198.tif 000002
【特許請求の範囲】
【請求項１】
マーキング表示部と、透明窓部を有するディスプレイ表示部とを一体で設置可能な透明素材よりなる表示パネル本体部を備え、
前記表示パネル本体部は、前記ディスプレイ表示部の透明窓部を除いた部分と前記マーキング表示部とに透明感を生かす塗料で塗装したボカシ塗膜層と、
前記ボカシ塗膜層の上に塗装した指定色塗膜層を有し、
前記マーキング表示部においては前記指定色塗膜層上にマークしたマーキング文字を有することを特徴とする
マーキング表示部とディスプレイ表示部を一体化した表示パネル。
【請求項２】
前記透明窓部の周囲は前記ボカシ塗膜層の厚さが極く薄くなるようにし、この上に指定色塗膜層を施した請求項１記載のマーキング表示部とディスプレイ表示部を一体化した表示パネル。
【請求項３】
指定色塗膜層の上部にさらにクリアコート層を施したことを特徴とする請求項１記載のマーキング表示部とディスプレイ表示部を一体化した表示パネル。
【請求項４】
透明素材にてマーキング表示部となる部分とディスプレイ表示部となる部分とを備えた表示パネル本体部を成形する工程と、
前記ディスプレイ表示部の透明窓部にマスキング印刷層を形成する工程と、
マスキング印刷層を電鋳マスクする工程と、
電鋳マスクの周囲にマスク周辺を薄くぼかしてボカシ塗膜層を形成する工程と、
前記ボカシ塗膜層上に指定色塗膜層を形成する工程と、
前記マスキング印刷層を剥がす工程と、
ディスプレイ表示部が完成後、これに隣接するマーキング表示部にマーキング文字をレーザーマーキングする工程とからなるマーキング表示部とディスプレイ表示部を一体化した表示パネルの製法。
【請求項５】
表示パネルの表面にさらにクリアコートをすることを特徴とする請求項４記載マーキング表示部とディスプレイ表示部を一体化した表示パネルの製法。
【発明の詳細な説明】
【技術分野】
【０００１】
本発明は、マーキング表示部とディスプレイ表示部を備え、かつこれらを一体化した表示パネルの構造及びその製法に関するものである。
【背景技術】
【０００２】
マーキング表示部とディスプレイ表示部を備えた従来の表示パネルについて図１６を参照して説明する。
【０００３】
ディスプレイ表示部に透明窓部用の角穴２を予め設けた本体部１を成形しておく。本体部１の角穴２に嵌めるディスプレイ表示部（ウインドウ）を別ピース３で製造しておき、これを本体部１の表面側あるいは裏面側から嵌めて組付けていた。
【０００４】
このため別ピース３を図１７（ａ）のように上から嵌合した場合、あるいは１７（ｂ）のように下から嵌合した場合でも嵌合部に図１７（ｃ）のように凹状の段差４が生じ、意匠上好ましくなかった。すなわち、この段差４のため、ディスプレイ表示部が別ピースの嵌め込みであるというイメージが強く、改善が望まれていた。
【発明の開示】
【発明が解決しようとする課題】
【０００５】
本発明の表示パネルは、前記従来の表示パネルの問題点に鑑み、ディスプレイ表示部を別ピースで予め構成しておき、これを本体部に設けた角穴に嵌め込む構造を改め、マーキング表示部とディスプレイ表示部とを一体化すること、そして、従来の表示パネルのように別ピースを組み付けたものというイメージをなくすこと、
そして、ディスプレイ表示部とマーキング表示部との色分け及び透過色の有無の組合せが可能な一体パネルを提供すること、
さらに、ディスプレイ表示部を透明感ある表示窓に仕上げることができるようにすることを提供することを課題とする。
【課題を解決するための手段】
【０００６】
そのため、本発明のマーキング表示部とディスプレイ表示部を一体化した表示パネルは、マーキング表示部と、透明窓部を有するディスプレイ表示部とを一体で設置可能な透明素材よりなる表示パネル本体部を備え、前記表示パネル本体部は、前記ディスプレイ表示部の透明窓部を除いた部分とマーキング表示部とに透明感を生かす塗料で塗装したボカシ塗膜層と、前記ボカシ塗膜層の上の指定色塗膜層を有し、前記マーキング表示部においては前記指定色塗膜層上にマークしたマーキング文字を有することを特徴とする。
そして、前記透明窓部の周囲はボカシ塗膜層の厚さを極く薄くなるようにし、この上に指定色塗膜層を施した。
そして、指定色塗膜層の上部にさらにクリアコート層を施した。
以上の表示パネルの製法は次の工程よりなっている。即ち、（１）透明素材にてマーキング表示部となる部分とディスプレイ表示部となる部分とを備えた表示パネル本体部を成形する工程と、
（２）前記ディスプレイ表示部の透明窓部にマスキング印刷層を形成する工程と、
（３）マスキング印刷層を電鋳マスクする工程と、
（４）電鋳マスクの周囲にマスク周辺を薄くぼかしてボカシ塗膜層を形成する工程と、
（５）前記ボカシ塗膜層上に指定色塗膜層を形成する工程と、
（６）前記マスキング印刷層を剥がす工程と、
ディスプレイ表示部が完成した後、これに隣接するマーキング表示部にマーキング文字をレーザーマーキングにてマークする工程とからなっている。
また、このようにして完成した表示パネルの表面にさらにクリアコートして表示パネルの表面にフラット感を付与するようにした。
【発明の効果】
【０００７】
本発明の表示パネルは、表示パネル本体部上にマーキング表示部とディスプレイ表示部とを一体化して設けたので、従来の表示パネルのように、ディスプレイ表示部に別ピースが組み付けられているというイメージをなくすことができ、意匠的に優れた表示パネルが得られた。
【０００８】
又、ディスプレイ表示部とマーキング表示部を一体化したので、両表示部の色分け及び透過色の有無の組合せが可能になった。
【０００９】
さらに、ディスプレイ表示部を予めマスキング塗装しその上に電鋳マスクを施して他の部分を塗装するので、透明感ある表示窓に仕上げることができるようになった。
【発明を実施するための最良の形態】
【００１０】
（マーキング表示部とディスプレイ表示部とを一体化した表示パネルの構造）
図１は本発明に係る表示パネルを示し、図１（ａ）は平面図、同じく（ｂ）は縦断面図である。
【００１１】
図１を参照して、マーキング表示部とディスプレイ表示部とを一体化した表示パネルの構成について説明する。
１１はマーキング表示部Ａとディスプレイ表示部Ｂを設置する部分とを備えた表示パネル本体部である。表示パネル本体部１１は透明素材たとえば透明樹脂成形体であるが、市販の透明樹脂板を組み合せて図１のように組合せたものでもよい。
【００１２】
表示パネル本体部１１のディスプレイ表示部Ｂには透明窓部２１を囲んでボカシ塗膜層１４がそして、ボカシ塗膜層１４の上に指定色塗膜層１５を有している。ただし透明窓部２１の周囲にはボカシ塗膜層１４はほとんど施されず、この部分ではボカシ塗膜の厚さが極く薄くなるよう塗装されている。従って指定色塗膜層１５のみが透明窓部２１にあらわれている。
【００１３】
次にマーキング表示部Ａは、前記ディスプレイ表示部の透明窓部２１以外の部分と同様、前記本体部の表面にはボカシ塗膜層１４とその上に指定色塗膜層１５が塗装され、その上にマーキング文字１９がレーザーマーキングにてマークされている。
【００１４】
なお、指定色塗膜層１５の上部にさらに必要に応じてクリアコート層２０を施し、表面をよりフラットに感じさせるようにしてもよい（図１１参照）。このクリアコート層２０を施すことにより、透明窓部２１周辺の段差部分を覆うので、この部分の耐摩耗性能を向上させることができる。
【００１５】
このような構成であって、マーキング表示光源１７及びディスプレイ表示光源１８より照射すると、表示パネル本体部１１上には、マーキング表示及びディスプレイ表示がなされる。
【００１６】
この場合マーキング表示部Ａとディスプレイ表示部Ｂを表示パネル本体部１１上に一体化したので、ディスプレイ表示部Ｂが別ピースで組付けられているといったイメージを回避することができる。
又ディスプレイ表示部Ｂとマーキング表示部Ａとの色分け及び透明色の有無等の組合せが可能となった。
【００１７】
（一体化表示パネルの製法）
以下、図２〜図１１を参照して本発明に係る表示パネルの製法について説明する。
（工程１）  図２
透明樹脂で射出成形により表示パネル本体部１１を成形する。ただし、必ずしも射出成形品に限定するものではなく、市販の透明樹脂板で表示パネルの本体部１１を図２のように構成してもよい。
【００１８】
（工程２）  図３
透明窓部の形成に必要な部位（図３の右側）にマスキングインクにて印刷してマスキング印刷層１２を形成する。このマスキングインクの印刷で表示パネル本体部１１のもつ透明感（透明度）を生かすことができる。後で説明するがレーザーマーキングの手法でもディスプレイ表示窓の加工は可能であるが透明部分に少しクモリが発生し素材の十分な透明感は得られない。
【００１９】
（工程３）  図４
マスキング印刷層１２の周囲に合わせたマスク例えば電鋳マスク１３にてマスキング印刷層１２をマスクする。
【００２０】
（工程４）  図５
表示パネルが完成した時の塗装の段差を少なく抑える為、電鋳マスク１３の周囲のボカシを狙った一層のボカシ塗膜層１４を形成する。この時電鋳マスク１３の周囲以外はきちんと白色または黒色で塗装を行なう。
白色塗装の場合には、マーキング表示部の文字を白色にする場合に選定する。又、黒色塗装の場合には、ディスプレイ表示部のみのパネルにするか、あるいは透明のマーキング文字にする場合に選定する。
【００２１】
（工程５）  図６
工程３と工程４で表示パネル本体部１１の透明感を生かすためのマスキング印刷層１２を抑えていた電鋳マスク１３を取り外す。
【００２２】
（工程６）  図７
ここで前記ボカシ塗膜層１４の上部に指定色塗膜層１５を形成する。
【００２３】
（工程７）  図８
工程２で行ったマスキング印刷層１２を剥がす。このマスキング印刷層１２を剥した状態では、透明窓部２１の周りに指定色塗膜層１５の一層分（厚みｔ）のみが残る。
かくして透明窓部２１は完成し、図９のようにディスプレイ表示光１６を下から照射すると、透明な表示パネル本体部１１を通してディスプレイ表示される。
従ってマーキング表示部のないディスプレイ表示部のみのパネルならば、これで完成となる。
【００２４】
（ディスプレイ表示部の隣りにマーキング表示部を形成する方法）
ディスプレイ表示部の隣りにこれと一体にマーキング表示部に文字を設ける仕様の場合には以下の工程が付加される。
【００２５】
（工程８）  図１０
マーキング表示部にレーザーマーキングでマーキング文字１９を施す。このレーザーマーキングするとき、工程４（図５）で電鋳マスク１３の周囲にボカシ塗膜層１４を白色で行った場合には、白色文字（未透過の時）がマーキングされる。但しディスプレイ表示部分は透明の窓付きである。又工程４でボカシ塗膜層１４を黒色で行った場合には、透明文字（未透過の時）がマーキングされる。但しディスプレイ表示部分は透明の窓付きである。
【００２６】
（工程９）  図１１
以上の製品において、表示パネル本体部１１と塗膜の差が気になる場合には、さらにクリアコート２０を施す。この分製造工数は増えるが、よりフラットな感を付与することができ、さらにこれにより段差部分の耐摩耗性も向上するという利点がある。以上工程８と工程９を付加することで、マーキング表示部とディスプレイ表示部を一体として設けた表示パネルが得られる。
【００２７】
以上の製法において、工程４（図５）で電鋳マスク１３の周りにボカシ塗膜層１４をする理由について述べる。電鋳マスク１３の周りをきちんと塗装してしまうと、見切り部分が極端に２層になり、図１２（ａ）のように本体部１１との一体感が損われる。即ち工程４（図５）で塗装するボカシ塗膜層１４の色によっては、これが側面からその色が見える場合がある。これに対し図１２（ｂ）のごとく本発明の製造法で製造したものでは工程６（図７）で塗装した指定色塗膜層１５の一層のみが見えている。
【００２８】
また、工程７のマスキング印刷層１２を剥がす時にも、工程４のボカシ塗膜層１４を厚く塗装したり、電鋳マスク１３の周りをきちんと図１３の丸で囲んだ部分のように塗装すると、ディスプレイ表示部分の窓の見切りが“ギザギザ”になってすっきりとした見切りを表現できない。
また、図１４で符号２２は見切りが残った部分、符号２３は指定色塗膜層１５が剥れてしまった部分で、工程４でしたボカシ塗膜層１４の一色が見えている。
【００２９】
図１５（ａ）は図１２（ａ）の表面の高低差の状態を示し、塗料が２層になっている分、高低差（段差）も符号２４のように大きくなることを示している。また、図１５（ｂ）は本発明の塗料が一層の場合で、この分高低差（段差）が符号２５で示すように小さくなっていることを示している。
【図面の簡単な説明】
【００３０】
【図１】本発明に係るマーキング表示部とディスプレイ表示部を一体化した表示パネルを示し、（ａ）は平面図、（ｂ）は縦断面図である。
【図２】一体化した表示パネルの製造法における第１工程を示す断面図である。
【図３】透明窓部にマスキング印刷層を施す第２工程を示す断面図である。
【図４】第２工程で施した印刷層上に電鋳マスクを施す第３工程を示す断面図である。
【図５】第３工程で施した電鋳マスクの周囲にボカシ塗膜層を施す第４工程を示す断面図である。
【図６】電鋳マスクを外す第５工程を示す断面図である。
【図７】第５工程の次に指定色塗膜層を施す第６工程を示す断面図である。
【図８】第２工程で施したマスキング印刷層を剥す第７工程を示す断面図である。
【図９】ディスプレイ表示部のみの場合の表示パネルの完成図であり、ディスプレイ表示部にディスプレイ光を照射した状態を示す断面図である。
【図１０】マーキング文字を施す第８工程の説明図で、マーキング表示部とディスプレイ表示部に夫々光を照射した状態を示す断面図である。
【図１１】表面のフラット感を得るためのクリア塗装をする第９工程を示す断面図である。
【図１２】（ａ）は第４工程でボカシ塗膜層をしなかった状態を示す図、（ｂ）はディスプレイ表示部周辺のボカシ塗膜層を施した場合の断面図である。
【図１３】第７工程で施したマスキング層を剥がしたときの剥し部の状態を示す断面図である。
【図１４】図１３の剥離部の拡大詳細図である。
【図１５】（ａ）は図１２（ａ）の場合の表面状態の説明図、（ｂ）は図１２（ｂ）の場合の表面状態の説明図である。
【図１６】従来の表示パネルの斜視図である。
【図１７】ディスプレイ表示部を嵌込式にした従来の表示パネルに段差が生ずることを説明する断面図であり、（ａ）は上からの嵌合時、（ｂ）は下からの嵌合時の説明図で、（ｃ）は段差部の拡大図である。
【符号の説明】
【００３１】
１１  表示パネル本体部    １２  マスキング印刷層
１３  電鋳マスク                １４  ボカシ塗膜層
１５  指定色塗膜層              １６  ディスプレイ表示光
１７  マーキング表示光源        １８  ディスプレイ表示光源
１９  マーキング文字            ２０  クリアコート層
２１  透明窓部
Ａ    マーキング表示部          Ｂ    ディスプレイ表示部
【図１】
2005309198.tif 000003
【図２】
2005309198.tif 000004
【図３】
2005309198.tif 000005
【図４】
2005309198.tif 000006
【図５】
2005309198.tif 000007
【図６】
2005309198.tif 000008
【図７】
2005309198.tif 000009
【図８】
2005309198.tif 000010
【図９】
2005309198.tif 000011
【図１０】
2005309198.tif 000012
【図１１】
2005309198.tif 000013
【図１２】
2005309198.tif 000014
【図１３】
2005309198.tif 000015
【図１４】
2005309198.tif 000016
【図１５】
2005309198.tif 000017
【図１６】
2005309198.tif 000018
【図１７】
2005309198.tif 000019